(57)【特許請求の範囲】
【請求項１】
タッチパネルのセンシング装置であって、
基板と、
前記基板に設置される複数のセンシング電極と、
前記基板に設置される複数の静電気防護電極と、
前記基板に設置される複数の第一ブリッジ接続部と、
前記複数のセンシング電極と前記複数の第一ブリッジ接続部との間に設置され、及び、前記複数の静電気防護電極と前記複数の第一ブリッジ接続部との間に設置される保護層と、
を含み、
前記保護層は、複数の接触用孔を有し、且つ、少なくとも一つの前記センシング電極は、前記複数の接触孔及び前記複数の第一ブリッジ接続部を通して前記静電気防護電極と電気接続される、タッチパネルのセンシング装置。
【請求項２】
前記保護層は、前記複数の第一ブリッジ接続部に設置され、前記複数のセンシング電極及び前記複数の静電気防護電極は、前記保護層に設置される、請求項１に記載のタッチパンルのセンシング装置。
【請求項３】
前記保護層は、前記複数のセンシング電極及び前記複数の静電気防護電極に設置され、前記複数の第一ブリッジ接続部は、前記保護層に設置される、請求項１に記載のタッチパネルのセンシング装置。
【請求項４】
前記基板に設置される複数の第二ブリッジ接続部をさらに含み、
少なくとも一つの前記センシング電極は、前記複数の接触用孔及び前記複数の第二ブリッジ接続部を通して、隣接する前記複数のセンシング電極と電気接続され、各々の前記第一ブリッジ接続部は、二つの連結領域及び一つの導線領域を含み、該導線領域の幅は、前記第二ブリッジ接続部の幅より大きく又はそれに実質的に等しく、且つ、該連結領域の幅は、該導線領域の幅より大きい、
請求項２に記載のタッチパネルのセンシング装置。
【請求項５】
少なくとも一部の各々の前記静電気防護電極は、隣接する前記複数のセンシング電極の間に設置される、請求項４に記載のタッチパネルのセンシング装置。
【請求項６】
少なくとも一部の前記複数のセンシング電極の円形は、中空領域を含み、且つ、少なくとも一部の各々の前記静電気防護電極は、各々の前記センシング電極の前記中空領域内に設置される、請求項４に記載のタッチパネルのセンシング装置。
【請求項７】
前記タッチパネルの前記センシング装置の前記基板は、表示パネルの基板である、請求項１に記載のタッチパネルのセンシング装置。
【請求項８】
前記複数のセンシング電極、前記複数の静電気防護電極、前記第一ブリッジ接続部、及び前記保護層は、前記表示パネルの前記基板の外側表面に設置される、請求項７に記載のタッチパネルのセンシング装置。
【請求項９】
前記複数のセンシング電極、前記複数の静電気防護電極、前記第一ブリッジ接続部、及び前記保護層は、前記表示パネルの前記基板の内側表面に設置される、請求項７に記載のタッチパネルのセンシング装置。
【請求項１０】
前記タッチパネルの前記センシング装置の前記基板は、表示パネルの基板に設置される、請求項１に記載のタッチパネルのセンシング装置。
【請求項１１】
前記複数のセンシング電極及び前記複数の静電気防護電極は、同一の導電材料により構成される、請求項１に記載のタッチパネルのセンシング装置。
【発明の詳細な説明】
【技術分野】
【０００１】
本発明は、タッチパネルのセンシング装置に関し、特に、静電気防護機能を有するタッチパネルのセンシング装置に関する。
【背景技術】
【０００２】
タッチパネルが人間とコンピュータの相互作用及び設計の多様化などの特性を有するため、機器の外部入力インテーフェスに幅広く応用されている。近年、消費性電子製品の応用面が益々広くなるにつれ、タッチ制御機能と表示器とを組み合わせて使用する製品が益々多くなっており、例えば、携帯電話、ＧＰＳナビシステム、タブレット型ＰＣ、及びラップトップＰＣなどがある。
【０００３】
今頃のタッチパネル技術が非常に多様化であり、よく見られているのは、抵抗式、容量式、及び光学式などの技術がある。そのうち、容量式タッチパネルは、高正確率、複数点タッチ制御、高耐用性、及び高タッチ制御解析度などの利点を有し、中高レベルの消費性電子製品に用いる主流のタッチ制御技術となっている。いまのところ、容量式タッチパネルに用いるタッチ制御装置が図１に示される。図１は、従来の容量式タッチパネルのセンシング装置の上面図である。図１に示すように、従来のタッチパネルのセンシング装置は、複数の第一センシング電極１４Ｃ、複数の第二センシング電極１４Ｄ、及び複数のブリッジ接続部１１を含む。そのうち、第一センシング電極１４Ｃは、第二センシング電極１４Ｄと交替で配列され、且つ各第二センシング電極１４Ｄは、水平方向Ｘに隣接する第二センシング電極１４Ｄと互いに接続され、各第一センシング電極１４Ｃは、ブリッジ接続部１１を利用して、垂直方向Ｙに隣接する第一センシング電極１４Ｃと互いに接続される。そのうち、ブリッジ接続部１１は、第一センシング電極１４Ｃ／第二センシング電極１４Ｄとは異なる表面に設置される。容量式タッチパネルは、センシング電極を用いてタッチ点の容量変化を検出し、またＸ軸及びＹ軸の連結線により信号を戻して位置決めを実現する。使用者が容量式タッチパネルを操作するときに、静電荷の移動を引き起こして、タッチパネルに静電気放電を生じさせる。タッチパネルの内部抵抗がゼロに近いため、タッチパネルに大電流放電の動作が生じることがある。この大電流は、全体の抵抗が比較的高いブリッジ接続部１１を流れ、ブリッジ接続部１１には、電気エネルギーが釈放されるので、ブリッジ接続１１を焼いて破壊する現象が生じる可能性がある。この現象は、タッチパネル製品の信頼性に大きな影響を与えることができるので、この静電気破壊現象に対して防護及び改善を行う必要がある。
【先行技術文献】
【特許文献】
【０００４】
【特許文献１】米国特許出願第２００９０２６２０９４号明細書
【特許文献２】台湾特許出願第Ｍ３７５９３４Ｕ１号明細書
【発明の概要】
【発明が解決しようとする課題】
【０００５】
本発明の目的は、静電気破壊によるタッチパネル製品の信頼性低下の現象を防護及び改善することができるタッチパネルのセンシング装置を提供することにある。
【課題を解決するための手段】
【０００６】
上記の目的を達成するために、本発明の一実施例によれば、タッチパネルのセンシング装置が提供される。このタッチパネルのセンシング装置は、基板と、複数のセンシング電極と、複数の静電気防護電極と、複数の第一ブリッジ接続部と、保護層とを含む。センシグ電極、静電気防護電極、及び第一ブリッジ接続部は、基板に設置される。保護層は、センシング電極と第一ブリッジ接続部との間に設置され、及び静電気防護電極と第一ブリッジ接続部との間に設置される。また、保護層は、複数の接触用孔を有し、且つ、少なくとも一つのセンシング電極は、接触用孔及び第一ブリッジ接続部を通して静電気防護電極に電気接続される。
【０００７】
本発明の実施例によれば、静電気防護電極の設計により、後続のタッチパネルの組み立て及びタッチパネルの使用／操作のときに生じる静電気破壊エネルギーを分散させることができ、これにより、静電気により各センシング電極間の伝送線路を破壊する確率を下げ、タッチパネルの信頼性を有効に向上することができる。また、本発明の実施例による、静電気防護機能を有するタッチパネルのセンシング装置の製造方法が従来のタッチパネルの製造プロセスに用いられることができるため、余計な製造プロセスを増やすことがなく、これにより、製造コスト及び複雑度を増加することがない。
【発明の効果】
【０００８】
本発明の実施例によれば、静電気破壊によるタッチパネル製品の信頼性低下の現象を防護及び改善することができるタッチパネルのセンシング装置を提供する。
【図面の簡単な説明】
【０００９】
【図１】従来の容量式タッチパネルのセンシング装置の上面図である。
【図２】本発明の第一の好適な実施例によるタッチパネルのセンシング装置を示す図である。
【図３】本発明の第一の好適な実施例によるタッチパネルのセンシング装置を示す図である。
【図４】本発明の第一の好適な実施例によるタッチパネルのセンシング装置を示す図である。
【図５】本発明の実施例によるタッチパネルのセンシング装置の等価回路を示す図である。
【図６】本発明の第二の好適な実施例によるタッチパネルのセンシング装置を示す図である。
【図７】本発明の第二の好適な実施例によるタッチパネルのセンシング装置を示す図である。
【図８】本発明の第二の好適な実施例によるタッチパネルのセンシング装置を示す図である。
【図９】本発明の第三の好適な実施例によるタッチパネルのセンシング装置を示す図である。
【図１０】本発明の実施例によるタッチパネルのセンシング装置と表示パネルとの組合せを示す図である。
【図１１】本発明の実施例によるタッチパネルのセンシング装置と表示パネルとの組合せを示す図である。
【図１２】本発明の実施例によるタッチパネルのセンシング装置と表示パネルとの組合せを示す図である。
【発明を実施するための形態】
【００１０】
図２〜図４を参照する。図２〜図４は、本発明の第一の好適な実施例によるタッチパネルのセンシング装置を示す図である。そのうち、図２は、タッチパネルのセンシング装置の上面図であり、図３は、図２の局部拡大図であり、図４は、図３のタッチパンルのセンシング装置の線Ａ−Ａ′に沿った断面図である。図２〜図４に示すように、本発明の第一実施例によるタッチパネルのセンシング装置５１が、基板１０、基板１０に設置される複数の第一ブリッジ接続部１１Ａ及び複数の第二ブリッジ接続部１１Ｂ、第一ブリッジ接続部１１Ａと第二ブリッジ接続部１１Ｂとの間に設置される保護層１２（図２と図３に図示せず）、保護層１２に設置される複数のセンシング電極１４Ａ及び複数のセンシング電極１４Ｂ、及び保護層１２に設置される複数の静電気防護電極１５を含む。センシング電極１４Ａ及びセンシング電極１４Ｂのパターンが交替で配列され、各センシング電極１４Ａのパターンが互いに連結されず、各センシング電極１４Ｂのパターンが水平方向Ｘに互いに連結される。各静電気防護電極１５は、各センシング電極１４Ａと各センシング電極１４Ｂとの間に設置され、且つ各静電気防護電極１５のパターンは、各センシング電極１４Ａ及びセンシング電極１４Ｂのパターンと連結されない。また、保護層１２は、複数の接触用孔１３を有し、且つ接触孔１３は、それぞれ第一ブリッジ接続部１１Ａ及び第二ブリッジ接続部１１Ｂを部分的に露出させる。少なくとも一つのセンシング電極１４Ａは、接触用孔１３及び第一ブリッジ接続部１１Ａを通して静電気防護電極１５と電気接続され、且つ少なくとも一つのセンシング電極１４Ａは、接触用孔１３及び第二ブリッジ接続部１１Ｂを通して垂直方向に隣接するセンシング電極１４Ａと電気接続される。本発明の他の実施例では、設計の需要に応じて選択的に、一部の静電気防護電極１５を、第一ブリッジ接続部１１Ａを通して、センシング電極１４Ｂと電気接続させてもよいが、その前提は、センシング電極１４Ｂとセンシング電極１４Ａとの間は電気分離の関係を有することを維持する必要がある。本実施例では、第一ブリッジ接続部１１Ａと第二ブリッジ接続部１１Ｂは、同一の導電材料層により構成され、該導電材料層は、例えば、Ｍｏ、Ａｌ、Ｔｉ又は他の適切な導電材料を含んでも良い。センシング電極１４Ａ、センシング電極１４Ｂ、及び静電気防護電極１５は、同一の透明導電材料層により構成され、該透明導電材料層は、例えば、ＩＴＯ、ＩＺＯ、ＡＺＯ又は他の適切な導電材料を含んでも良い。本発明の他の実施例では、センシング電極と静電気防護電極は、設計の考慮に応じて、不透明又は透明度が低い導電材料により構成されても良い。例えば、タッチパネルが表示パネルと組み合わせずに使用され、又はパネル全体の透過率への要求が低いときに、適切な不透明又は透明度が低い導電材料を用いてセンシング電極及び静電気防護電極を形成しても良く、これにより、他の面例えばコストの面での要求を満たすことができる。また、図３を参照する。各第一ブリッジ接続部１１Ａは、二つの連結領域１１Ａ２及び一つの導線領域１１Ａ１を含み、導線領域１１Ａ１の幅Ｗ１１は、大抵、第二ブリッジ接続部１１Ｂの幅Ｗ２より大きく又はそれに等しくても良く、且つ、連結領域１１Ａ２の幅Ｗ１２は、大抵、導線領域１１Ａの幅Ｗ１１より大きくても良い。本発明の実施例では、好ましくは、連結領域１１Ａ２の幅Ｗ１２は、大抵、導線領域１１Ａ１の幅Ｗ１１の２倍であってもよいが、これに限られない。この設計は、静電気防護電極１５に連結される第一ブリッジ接続部１１Ａの幅を制御することにより、電流が静電気防護電極１５を流れる確率を増加させる。これにより、静電気による大電流が第一ブリッジ接続部１１Ａを経由して静電気防護電極１５へ流れることを容易にさせ、静電気防護の効果を発揮することができる。なお、静電気防護のメカニズムについては、後述する。
【００１１】
図４と図３を参照する。本発明の第一の好適な実施例によるタッチパンルのセンシング装置の製造方法は、次のような複数のステップを含む。まず、基板１０を提供し、基板１０上にパターン化導電層を形成し、これにより、複数の第一ブリッジ接続部１１Ａ及び複数の第二ブリッジ接続部１１Ｂを形成し、そのうち、各第一ブリッジ接続部１１Ａは、二つの連結領域１１Ａ２及び一つの導線領域１１Ａ１を含み、導線領域１１Ａ１の幅Ｗ１１は、大抵、第二ブリッジ接続部１１Ｂの幅Ｗ２より大きく又はそれに等しくても良く、且つ、連結領域１１Ａ２の幅Ｗ１２は、大抵、導線領域１１Ａ１の幅Ｗ１１より大きくても良い。次に、基板１０、第一ブリッジ接続部１１Ａ、及び第二ブリッジ接続部１１Ｂを覆う保護層１２を形成する。その後、保護層１２中に複数の接触用孔１３を形成し、そのうち、接触用孔１３は、それぞれ第一ブリッジ接続部１１Ａ及び第二ブリッジ接続部１１Ｂを部分的に露出させる。続いて、保護層１２上にパターン化透明導電層を形成することにより、複数のセンシング電極１４Ａ、複数のセンシング電極１４Ｂ、及び複数の静電気防護電極１５を形成し、そのうち、少なくとも一つのセンシング電極１４Ａは、接触用孔１３を通して一部の第一ブリッジ接続部１１Ａ及び一部の第二ブリッジ接続部１１Ｂと接触し、且つ、少なくとも一つの静電気防護電極１５は、接触用孔１３を通して一部の第一ブリッジ１１Ａと接触する。言い換えると、少なくとも一つのセンシング電極１４Ａは、接触用孔１３及び第一ブリッジ接続部１１Ａにより、静電気防護電極１５と電気接続され、且つ、少なくとも一つのセンシング電極１４Ｂは、接触用孔１３及び第二ブリッジ接続部１１Ｂを介して、隣接するセンシング電極１４Ａと電気接続される。なお、本発明の実施例による、静電気防護機能を有するタッチパネルのセンシング装置の製造方法は、従来のタッチパネルの製造プロセスに用いることができるので、余計な製造プロセスを増やすことがなく、これにより、製造コスト及び複雑度を増加することがない。
【００１２】
図５と図２を参照する。図５は、本発明の好適な実施例によるタッチパネルのセンシング装置の等価回路を示す図である。図５に示すように、本発明の第一の好適な実施例では、Ｒｔｒａｃｅが、図２において、垂直方向Ｙに各センシング電極１４Ａに連結される各第二ブリッジ接続部１１Ｂの等価抵抗であり、Ｒｅｓｄが、各静電気防護電極１５に接続される第一ブリッジ接続部１１Ａの等価抵抗である、Ｒｔｓが、各センシング電極１４Ａの等価抵抗である。静電気による瞬間大電流Ｉｅｓｄが、Ｙ方向に上下センシング電極１４Ａに連結される第二ブリッジ接続部１１Ｂを流れた後に、三つの径路に分けることができ、そのうち、Ｒｅｓｄの値がＲｔｓの値より大きいので、静電気による瞬間大電流Ｉｅｓｄによる熱エネルギーが大きく、これにより、各静電気防護電極１５には、静電気破壊が生じやすい。よって、本発明の静電気防護電極の設計により、静電気破壊のエネルギーを有効に分散させることができ、これにより、各センシング電極間の伝送線路（例えば、第二ブリッジ接続部１１Ｂ）が静電気により破壊される確率を下げ、タッチパネルの信頼性を向上することができる。
【００１３】
図６〜図８を参照する。図６〜図８は、本発明の第二の好適な実施例によるタッチパネルのセンシング装置を示す図であり、そのうち、図６は、タッチパネルのセンシング装置の上面図であり、図７は、図６の局部拡大図であり、図８は、図７のタッチパネルのセンシング装置の線Ａ−Ａ′に沿った断面図である。この実施例では、各素子及び材料の特性が、上述の第一の好適な実施例によるタッチパネルのセンシング装置と同じであり、説明を簡略化するために、各素子は同じ符号により表される。図６〜図８に示すように、本発明の第二の好適な実施例によるタッチパネルのセンシング装置５２が、基板１０と、基板１０に設置される複数のセンシング電極１４Ａ及び複数のセンシング電極１４Ｂと、基板１０に設置される複数の静電気防護電極１５と、センシング電極１４Ａ／センシング電極１４Ｂ及び静電気防護電極１５に設置される保護層１２と、保護層１２上に設置される複数の第一ブリッジ接続部１１Ａ及び第二のブリッジ接続部１１Ｂとを含む。センシング電極１４Ａ及びセンシング電極１４Ｂのパターンは交替で配列され、各センシング電極１４Ａのパターンは互いに連結されず、各センシング電極１４Ｂのパターンは水平方向Ｘに互いに連結される。各静電気防護電極１５は、各センシング電極１４Ａと各センシング電極１４Ｂとの間に設置され、且つ各静電気防護電極１５のパターンは、各センシング電極１４Ａ及び各センシング電極１４Ｂに連結されない。また、保護層１２は、複数の接触用孔１３を有し、接触用孔１３は、それぞれセンシング電極１４Ａと静電気防護電極１５を部分的に露出させる。少なくとも一つのセンシング電極１４Ａは、接触用孔１３及び第一ブリッジ接続部１１Ａを通して静電気防護電極１５に電気的に連結され、且つ少なくとも一部のセンシング電極１４Ａは、接触用孔１３及び第二ブリッジ接続部１１Ｂを通して、垂直方向Ｙに隣接するセンシング電極１４Ａに電気的に連結される。本実施例では、センシング電極１４Ａ、センシング電極１４Ｂ、及び静電気防護電極１５は、同一の透明導電材料層から構成され、該透明導電材料層は、ＩＴＯ、ＩＺＯ、ＡＺＯ又は他の適切な導電材料を含む。また、図７を参照する。各第一ブリッジ接続部１１Ａは、二つの連結領域１１Ａ２及び一つの導線領域１１Ａ１を含み、導線領域１１Ａ１の幅Ｗ１１は、大抵、第二ブリッジ接続部１１Ｂの幅Ｗ２より大きく又はそれに等しくてもよく、且つ、連結領域１１Ａ２の幅Ｗ１２は、大抵、導線領域１１Ａ１の幅Ｗ１１より大きくても良い。好ましくは、連結領域１１Ａ２の幅Ｗ１２は、大抵、導線領域１１Ａ１の幅Ｗ１１の２倍であっても良い。
【００１４】
図８と図７を参照する。本発明の第二の好適な実施例によるタッチパネルのセンシング装置の製造方法は、次のような複数のステップを含む。まず、基板１０を提供し、基板１０上にパターン化透明導電層を形成し、これにより、複数のセンシング電極１４Ａ、複数のセンシング電極１４Ｂ及び複数の静電気防護電極１５を形成する。続いて、基板１０、センシング電極１４Ａ、センシング電極１４Ｂ及び静電気防護電極１５を覆う保護層１２を形成する。その後、保護層１２中に複数の接触用孔１３を形成し、そのうち、接触用孔１３は、それぞれ、センシング電極１４Ａ及び静電気防護電極１５を部分的に露出させる。次に、保護層１２上にパターン化導電層を形成し、これにより、複数の第一ブリッジ接続部１１Ａ及び複数の第二ブリッジ接続部１１Ｂを形成し、そのうち、各第一ブリッジ接続部１１Ａは、二つの連結領域１１Ａ２及び一つの導線領域１１Ａ１を含み、導線領域１１Ａ１の幅Ｗ１１は、大抵、第二ブリッジ接続部１１Ｂの幅Ｗ２より大きく又はそれに等しくても良く、且つ、連結領域１１Ａ２の幅Ｗ１２は、大抵、導線領域１１Ａ１の幅Ｗ１１より大きくても良い。少なくとも一つのセンシング電極１４Ａは、接触用孔１３を通して一部の第一ブリッジ接続部１１Ａ及び一部の第二ブリッジ接続部１１Ｂに接触し、且つ、少なくとも一つの静電気防護層１５は、接触用孔１３を介して一部の第一ブリッジ接続部１１Ａと接触する。言い換えると、少なくとも一つのセンシング電極１４Ａは、接触用孔１３及び第一ブリッジ接続部１１Ａを通して静電気防護電極１５と電気的に接続され、且つ、少なくとも一つのセンシング電極１４Ａは、接触用孔１３及び第二ブリッジ接続部１１Ｂを介して、隣接するセンシング電極１４Ａと電気的に接続される。
【００１５】
本発明の第二の好適な実施例によるタッチパネルのセンシング装置の等価回路が図５により表されても良く、且つ、その静電気防護の操作原理も第一の好適な実施例と同じであるので、ここでは、それらの説明を省略する。
【００１６】
図９を参照する。図９は、本発明の第三の好適な実施例によるタッチパネルのセンシング装置の上面図である。説明を簡略化するために、図９は、一つのセンシング電極及びそれと組み合わせる静電気防護電極のみを示し、且つ次の説明では、主に、本実施例の、他の実施例と異なる点について記述し、同じ点について省略する。また、この実施例では、一部の素子及び材料の特性が、上述の第一の好適な実施例によるタッチパネルのセンシング装置と同じであり、説明を簡略化するために、該部分の素子は同じ符号により表される。図９に示すように、本実施例では、センシング電極１４Ａは、菱形で且つ中空領域１７を有するパターンであるが、本発明は、これに限られず、中空領域１７を有する他の適切なパターンを有しても良い。静電気防護電極１６が、中空領域１７内に設置され、且つ静電気防護電極１６のパターンは、センシング電極１４Ａのパターンに接続されない。各第一ブリッジ接続部１１Ａは、二つの連結領域１１Ａ２及び一つの導線領域１１Ａ１を含み、導線領域１１Ａ１の幅Ｗ１１は、大抵、第二ブリッジ接続部１１Ｂの幅Ｗより大きく又はそれに等しくても良く、且つ連結領域１１Ａ２の幅Ｗ２は、大抵、導線領域１１Ａ１の幅Ｗ１１より大きい。少なくとも一つのセンシング電極１４Ａは、接触用孔１３及び第一ブリッジ接続部１１Ａを介して静電気防護電極１６と電気接続され、且つ、少なくとも一つのセンシング電極１４Ａは、接触用孔１３及び第二ブリッジ接続部１１Ｂを通して、隣接するセンシング電極１４Ａと電気接続される。本発明の他の実施例では、一部のセンシング電極１４Ａ及びセンシング電極１４Ｂは、設計の需要に応じて選択的に、第一ブリッジ接続部１１Ａを通して、それぞれ静電気防護電極１５及び静電気防護電極１６と、センシング電極１４Ａ及びセンシング電極１４Ｂのパターンの外部又はパターンの内部において電気接続を形成することにより、より良い静電気防護効果を達成しても良い。本実施例によるタッチパネルのセンシング装置の製造方法は、上述の第一の好適な実施例又は第二の好適な実施例と同じであっても良く、言い換えると、本実施例によりタッチパネルのセンシング装置の第一ブリッジ接続部１１Ａ及び第二ブリッジ接続部１１Ｂは、設計の需要に応じて、センシング電極１４Ａ／１４Ｂ及び静電気防護電極１６の上又は下に設置されても良く、また、製造方法の細部は、上述の実施例と同じであるため、ここでは、その説明を省略する。
【００１７】
本発明の第三の好適な実施例によるタッチパネルのセンシング装置の等価回路が図５により表されても良い。図５と図９を参照する。そのうち、Ｒｅｓｄが静電気防護電極１６に接続される第一ブリッジ接続部１１Ａの等価抵抗であり、Ｒｔｒａｃｅが各第二ブリッジ接続部１１Ｂの等価抵抗であり、Ｒｔｓが各センシング電極１４Ａの等価抵抗である。静電気による瞬間大電流Ｉｅｓｄが、垂直方向Ｙに上下センシング電極１４Ａに連結される第二ブリッジ１１Ｂを流れた後に、Ｒｅｓｄの値がＲｔｓの値より大きいため、瞬間静電気電流による熱エネルギーが比較的に大きいので、各静電気防護電極１６には、静電気破壊が生じやすい。よって、本実施例による静電気防護電極の設計により、静電気破壊のエネルギーを有効に分散させることができ、これにより、各センシング電極間の伝送線路（例えば、第二ブリッジ接続部１１Ｂ）が静電気により破壊される確率を下げ、タッチパネルの信頼性を向上することができる。
【００１８】
図１０〜図１２を参照する。図１０〜図１２は、本発明のタッチパネルのセンシング装置と表示パネルとの組合せを示す図である。図１０〜図１２に示すように、表示パネル３０が、基板３１、基板３２、及び表示媒質層３３を含む。そのうち、基板３１は、内側表面３１１及び外側表面３１２を含む。基板３２は、内側表面３２１及び外側表面３２２を含む。基板３１及び基板３２は、平行に設置され、且つ、基板３１の内側表面３１１は、基板３２の内側表面３２１に面する。表示媒質層３３は、基板３１と基板３２との間に設置される。上述の各実施例中のセンシング電極１４Ａ／１４Ｂ、静電気防護電極１５／１６、第一ブリッジ接続部１１Ａ、第二ブリッジ接続部１１Ｂ、及び保護層１２は、説明の便宜のため、ここで、ともにセンシング素子層４０と定義する。図１０に示すように、上述の各実施例中の基板１０は、表示パネル３０の基板３２であっても良い。言い換えると、センシング素子層４０は、基板３２の外側表面３２２上に設置されても良く、これにより、オンセルタッチパネル（On-Cell  Touch  Panel）を形成することができる。また、センシング素子層４０は、図１１に示すように、基板３２の内側表面３２１に設置されても良く、これにより、インセルタッチパネル（In-Cell  Touch  Panel）を形成することができる。また、上述の各実施例中の基板１０は、図１２に示すように、表示パネル３０の基板３２の外側表面３２２に設置されても良く、且つ、センシング素子層４０は、基板１０の、基板３２との反対の表面に設置されても良く、これにより、オンセルタッチパネルを形成することができる。本発明では、表示パネルは、液晶表示パネルであっても良く、且つ、基板３２は、カラーフィルタフィルム基板、透明基板、又は他の適切な基板を含んでも良い。また、本発明の表示パネルは、液晶パネルに限定されず、様々な表示パネルであっても良い。
【００１９】
以上述べたところを総合すれば、本発明は、静電気防護電極の設計により、タッチパネルの組合せ及び製品操作時の静電気破壊のエネルギーを分散させることにより、各センシング電極間の伝送線路が静電気により破壊される確率を低減し、タッチパネルの信頼性を有効に向上することができる。また、本発明の静電気防護機能を有するタッチパネルのセンシング装置の製造方法は、余計の製造プロセスを要しないので、製造プロセスのコスト及び複雑度を増加させることがない。
【００２０】
以上、本発明の好ましい実施形態を説明したが、本発明はこの実施形態に限定されず、本発明の趣旨を離脱しない限り、本発明に対するあらゆる変更は本発明の技術的範囲に属する。
【符号の説明】
【００２１】
１０  基板
１１  ブリッジ接続部
１１Ａ  第一ブリッジ接続部
１１Ａ１  導線領域
１１Ａ２  連結領域
１１Ｂ  第二ブリッジ接続部
Ｗ１１  幅
Ｗ１２  幅
Ｗ２  幅
１２  保護層
１３  接触用孔
１４Ａ  センシング電極
１４Ｂ  センシング電極
１４Ｃ  第一センシング電極
１４Ｄ  第二センシング電極
１５  静電気防護電極
１６  静電気防護電極
１７  中空領域
３０  表示パネル
３１  基板
３１１  内側表面
３１２  外側表面
３２  基板
３２１  内側表面
３２２  外側表面
３３  表示媒質層
４０  センシング層
５１  タッチパネルのセンシング装置
５２  タッチパネルのセンシング装置
Ｘ  水平方向
Ｙ  垂直方向
Ｒｔｒａｃｅ  第二ブリッジ接続部の等価抵抗
Ｒｅｓｄ  静電気防護電極に接続される第一ブリッジ接続部の等価抵抗
Ｒｔｓ  センシング電極の等価抵抗
Ｉｅｓｄ  瞬間大電流
【図１】
0005220146.tif 000002
【図２】
0005220146.tif 000003
【図３】
0005220146.tif 000004
【図４】
0005220146.tif 000005
【図５】
0005220146.tif 000006
【図６】
0005220146.tif 000007
【図７】
0005220146.tif 000008
【図８】
0005220146.tif 000009
【図９】
0005220146.tif 000010
【図１０】
0005220146.tif 000011
【図１１】
0005220146.tif 000012
【図１２】
0005220146.tif 000013